(57)【要約】【課題】検索エンジンサービスを結合した広告システムとそれを実行する方法を提供する。【解決手段】検索エンジンサービスを結合した広告システムは、クライアントとサーバを含み、サーバは、クライアントから情動信号とキーワードを受信するサーバ側トランシーバと、キーワードに従って検索機能を実行し、検索結果を生成する検索エンジンと、情動信号を分析し、ユーザーの情動パラメータを生成し、情動パラメータはユーザーの情動状態を示す情動分析器、および、情動パラメータに従って、ユーザーの情動状態として分類されている少なくとも１つの推薦広告を検索する広告プラットフォームを含み、サーバ側トランシーバは、さらに、ネットワークにより、検索結果と少なくとも１つの推薦広告をクライアントに伝送する。【選択図】    図２
2013109767.tif 000002
【特許請求の範囲】
【請求項１】
検索エンジンサービスを結合する広告システムであって、
クライアントとサーバを含み、
前記サーバは、
前記クライアントから、情動信号とキーワードを受信するサーバ側トランシーバと、
前記キーワードに従って、検索機能を実行し、検索結果を生成する検索エンジンと、
前記情動信号を分析し、ユーザーの情動状態を示す情動パラメータを生成する情動分析器と、
広告が所定の情動パラメータに従って分類され保存されており、前記ユーザーの情動状態を示す情動パラメータに基づいて、前記広告より少なくとも１つの推薦広告を検索する広告プラットフォームとを含み、
前記サーバ側トランシーバは、さらに、ネットワークにより、前記検索結果と前記少なくとも１つの推薦広告を前記クライアントに伝送する
ことを特徴とする広告システム。
【請求項２】
前記クライアントは、
前記ユーザーが前記キーワードを入力できるようにするテキスト入力ユニットと、
前記ユーザーの情動特性を捕捉し、前記情動信号を生成する情動センサーと、
前記ネットワークにより、前記キーワードと前記情動信号を前記サーバに伝送するクライアント側トランシーバーと、
を含むことを特徴とする請求項１に記載の広告システム。
【請求項３】
前記クライアントは、
前記ユーザーが入力する音声に基づいて、前記情動信号と見なされる音声信号を生成する音声入力ユニットと、
前記音声信号を識別し、キーワードを生成する音声識別ユニットと、
前記ネットワークにより、前記キーワードと前記情動信号を前記サーバに伝送するクライアント側トランシーバーと、
を含むことを特徴とする請求項１に記載の広告システム。
【請求項４】
前記クライアントは、前記ユーザーの地理的な位置を検出して、位置座標を生成する位置決め装置を含み、
前記クライアント側トランシーバーは、前記ネットワークにより、前記位置座標を前記サーバに伝送し、
前記広告プラットフォームは、前記情動パラメータと前記位置座標に従って、前記ユーザーの前記情動状態に適合し、広告位置が前記ユーザーの前記地理的な位置の近接である前記少なくとも１つの推薦広告を決定する
ことを特徴とする請求項１に記載の広告システム。
【請求項５】
前記位置決め装置は、グローバルポジショニングシステム、三辺測量および前記位置座標を獲得することができる任意の方法により、前記位置座標を生成することを特徴とする請求項４に記載の広告システム。
【請求項６】
前記広告プラットフォームは、さらに、
複数の広告を保存し、前記各広告は、所定の情動パラメータに従って分類されている広告データベースと、
前記広告データベースから、前記広告の一部であって、前記所定の情動パラメータが前記ユーザーの前記情動パラメータに適合するとともに、前記キーワードに関連する広告を取り込み、前記少なくとも１つの推薦広告とする検索ユニットと、
を含むことを特徴とする請求項１に記載の広告システム。
【請求項７】
前記情動分析器と前記検索エンジンは、少なくとも１つのプロセッサによりロードおよび実行されるプログラムであることを特徴とする請求項１に記載の広告システム。
【請求項８】
検索エンジンサービスを結合するコンピュータ実行可能な広告方法であって、
ネットワーク中のサーバ上で実行されて、前記クライアントにより要求される検索操作を実行する時、少なくとも１つの推薦広告をクライアントに提供し、
前記クライアントからキーワードを受信して、前記キーワードに従って、少なくとも１つの検索結果を生成する工程と、
前記クライアントから、ユーザーの情動特性を受信する工程と、
前記情動特性を分析し、前記ユーザーの感情の分類を示す情動パラメータを生成する工程と、
前記情動パラメータに従って、前記情動パラメータに対応する前記少なくとも１つの推薦広告を検索する工程と
前記ネットワークにより、前記検索結果と前記少なくとも１つの推薦広告を前記クライアントに伝送する工程と、
を含むことを特徴とするコンピュータ実行可能な広告方法。
【請求項９】
前記情動特性は、音声信号、顔の表情、生体信号または前記ユーザーにより入力される情報を含むことを特徴とする請求項８に記載のコンピュータ実行可能な広告方法。
【請求項１０】
前記推薦広告の検索は、さらに前記クライアントから位置座標を受信し、前記情動パラメータと前記位置座標に従って、前記情動パラメータに対応し、前記位置座標に近接する前記少なくとも１つの推薦広告を検索することを特徴とする請求項８に記載のコンピュータ実行可能な広告方法。
【請求項１１】
前記少なくとも１つの推薦広告は、さらに、前記キーワードに関連することを特徴とする請求項８に記載のコンピュータ実行可能な広告方法。
【請求項１２】
前記少なくとも１つの推薦広告は、広告データベースから取り込まれ、所定の情動パラメータを含み、前記所定の情動パラメータは、前記ユーザーの前記情動パラメータに適合することを特徴とする請求項８に記載のコンピュータ実行可能な広告方法。
【請求項１３】
検索エンジンサービスを結合する広告システムであって、
クライアントとサーバを含み、
前記クライアントは、
ユーザーがキーワードを入力できるようにするテキスト入力ユニットと、
前記キーワードに従って、検索機能を実行し、検索結果を生成する検索エンジンと、
前記ユーザーの情動特性を捕捉し、情動信号を生成する情動センサーと、
ネットワークにより、前記情動信号を前記サーバに伝送するクライアント側トランシーバーと、を含み、
前記サーバは、
前記クライアントから前記情動信号を受信するサーバ側トランシーバと、
前記情動信号を分析し、前記ユーザーの前記情動状態を示す情動パラメータを生成する情動分析器と、
前記情動パラメータに従って、少なくとも１つの推薦広告を検索する広告プラットフォームと、を含み、
前記サーバ側トランシーバは、さらに、前記ネットワークにより、前記少なくとも１つの推薦広告を前記クライアントに伝送する
ことを特徴とする広告システム。
【請求項１４】
前記情動センサーは、マイクロフォン、カメラ、ビデオカメラ、バイオセンサーおよびヒューマンマシンインターフェースのどれか１つであることを特徴とする請求項２または１３に記載の広告システム。
【請求項１５】
前記広告プラットフォームは、さらに、
複数の広告を保存し、前記各広告は、所定の情動パラメータに従って分類されている広告データベースと、
前記広告データベースから、前記広告の一部であって、前記所定の情動パラメータが前記ユーザーの前記情動パラメータに適合する広告を取り込み、前記少なくとも１つの推薦広告とする検索ユニットと、
を含むことを特徴とする請求項１または１３に記載の広告システム。
【請求項１６】
検索エンジンサービスを結合する広告システムであって、
クライアントとサーバを含み、
前記クライアントは、
ユーザーが音声信号を入力できるようにする音声入力ユニットと、
検索機能を実行する検索エンジンと、
ネットワークにより、前記音声信号を前記サーバに伝送するクライアント側トランシーバーと、を含み、
前記サーバは、
前記クライアントから、前記音声信号を受信するサーバ側トランシーバと、
前記音声信号を識別して、キーワードを生成する音声識別子と、
前記音声信号を分析し、前記ユーザーの情動パラメータを生成し、前記情動パラメータは、前記ユーザーの情動状態を示す情動分析器と、
前記情動パラメータに従って、少なくとも１つの推薦広告を検索する広告プラットフォームと、を含み、
前記サーバ側トランシーバは、さらに、前記ネットワークにより、前記キーワードと前記少なくとも１つの推薦広告を前記クライアントに伝送し、
前記検索エンジンは、前記キーワードに従って、前記検索機能を実行し、検索結果を生成する
ことを特徴とする広告システム。
【請求項１７】
前記広告プラットフォームは、さらに、
複数の広告を保存し、前記各広告は、所定の情動パラメータに従って分類されている広告データベースと、
前記広告データベースから、前記広告の一部を取り込み、前記少なくとも１つの推薦広告とし、前記少なくとも１つの推薦広告の前記所定の情動パラメータは、前記ユーザーの前記情動パラメータに適合する検索ユニットと、
を含むことを特徴とする請求項１６に記載の広告システム。
【請求項１８】
前記クライアントは、さらに、ディスプレイユニットを有し、前記検索結果と前記推薦広告を表示することを特徴とする請求項２，３，１３および１６に記載の広告システム。
【発明の詳細な説明】
【技術分野】
【０００１】
本発明は、広告システムに関するものであって、特に、検索エンジンを結合した広告システムおよび広告方法に関するものである。
【背景技術】
【０００２】
ネットワーク技術と、便利な検索エンジンサービスの普及に伴い、検索エンジンを結合する広告システムは、スマートフォン、携帯機器、インターネットテレビおよびパソコンの顧客とユーザーを含む、大きな潜在力と利得があるマーケットにリンクされる。現在の技術は、ランダムな広告の表示、ユーザーにより入力されるキーワードまたは検索機能実行時の履歴の検索に基づいた広告の選択および表示、または、ユーザーの地理的位置に基づいた広告の選択および表示を含んでいる。しかし、顧客の情動状態を考慮しなければ、広告は顧客の反感を買い、広告サービスの品質を低下させる。よって、従来の広告システムの費用対効果とサービス品質は、改善する余地がある。
【発明の概要】
【発明が解決しようとする課題】
【０００３】
本発明は、クライアントとサーバを含む検索エンジンサービスを結合する広告システムおよび広告方法を提供し、上述の問題を改善することを目的とする。
【課題を解決するための手段】
【０００４】
本発明の好ましい態様は、クライアントとサーバを含む検索エンジンサービスを結合する広告システムを提供し、サーバは、クライアントから、情動信号とキーワードを受信するサーバ側トランシーバと、キーワードに従って検索機能を実行し、検索結果を生成する検索エンジンと、情動信号を分析し、ユーザーの情動パラメータを生成し、情動パラメータはユーザーの情動状態を示す情動分析器と、情動パラメータに従って、ユーザーの情動状態として分類されている少なくとも１つの推薦広告を検索する広告プラットフォームと、を含み、サーバ側トランシーバは、さらに、ネットワークにより、検索結果と少なくとも１つの推薦広告をクライアントに伝送する。
【０００５】
本発明の別の好ましい態様は、検索エンジンサービスを結合するコンピュータ実行可能な広告方法を提供し、ネットワーク中のサーバ上で実施され、クライアントに要求される検索操作実行時、少なくとも１つの推薦広告をクライアントに提供し、クライアントからキーワードを受信し、キーワードに従って、少なくとも１つの検索結果を生成する工程と、クライアントからユーザーの情動特性を受信する工程と、情動特性を分析し、情動パラメータを生成し、情動パラメータはユーザーの感情の分類を示す工程と、情動パラメータに従って、少なくとも１つの推薦広告を検索し、少なくとも１つの推薦広告は情動パラメータに関連する工程と、ネットワークにより、検索結果と少なくとも１つの推薦広告をクライアントに伝送する工程とを含む。
【０００６】
本発明の別の好ましい態様は、クライアントとサーバを含む検索エンジンサービスを結合する広告システムを提供し、クライアントは、ユーザーがキーワードを入力できるようにするテキスト入力ユニットと、キーワードに従って、検索機能を実行し、検索結果を生成する検索エンジンと、ユーザーの情動特性を捕捉し、情動信号を生成する情動センサーと、ネットワークにより、情動信号をサーバに伝送するクライアント側トランシーバーと、を含む。サーバは、クライアントから情動信号を受信するサーバ側トランシーバと、情動信号を分析し、ユーザーの情動パラメータを生成し、情動パラメータはユーザーの情動状態を示す情動分析器と、情動パラメータに従って、少なくとも１つの推薦広告を検索する広告プラットフォームと、を含み、サーバ側トランシーバは、さらに、ネットワークにより、少なくとも１つの推薦広告をクライアントに伝送する。
【０００７】
本発明の別の好ましい態様は、クライアントとサーバを含む検索エンジンサービスを結合する広告システムを提供し、クライアントは、ユーザーが音声信号を入力できるようにする音声入力ユニットと、検索機能を実行する検索エンジンと、ネットワークにより、音声信号をサーバに伝送するクライアント側トランシーバーと、を含む。サーバは、クライアントから音声信号を受信するサーバ側トランシーバと、音声信号を識別し、キーワードを生成する音声識別子と、音声信号を分析し、ユーザーの情動パラメータを生成し、情動パラメータはユーザーの情動状態を示す情動分析器、および、情動パラメータに従って、少なくとも１つの推薦広告を検索する広告プラットフォームを含み、サーバ側トランシーバは、さらに、ネットワークにより、キーワードと少なくとも１つの推薦広告をクライアントに伝送し、検索エンジンは、キーワードに従って、検索機能を実行し、検索結果を生成する。
【発明の効果】
【０００８】
本発明の検索エンジンを結合した広告システムおよび広告方法により、顧客に、精確、且つ、適切な広告を提供することができ、広告の費用効果を向上させ、ベンダーと顧客との結びつきを強化することができる。さらに、カスタマイズ可能なオプションを提供することにより、サービス品質を改善することができる。
【図面の簡単な説明】
【０００９】
【図１】図１は、本発明の好ましい態様による広告システムの構成を示す図である。
【図２】図２は、本発明の好ましい態様による図１に示される広告システムの操作工程図である。
【図３】図３は、本発明の好ましい態様による広告システムの構成を示す図である。
【図４】図４は、本発明の好ましい態様による図３に示される広告システムの操作工程図である。
【図５】図５は、本発明の好ましい態様による広告システムの構成を示す図である。
【図６】図６は、本発明の好ましい態様による図５に示される広告システムの操作工程図である。
【図７】図７は、本発明の好ましい態様による広告システムの構成を示す図である。
【図８】図８は、本発明の好ましい態様による図７に示される広告システムの操作工程図である。
【図９】図９は、本発明の好ましい態様による広告システムの構成を示す図である。
【図１０】図１０は、本発明の好ましい態様による図９に示される広告システムの操作工程図である。
【発明を実施するための形態】
【００１０】
本発明で開示される広告システムは、少なくとも１つのクライアント（クライアントシステムやクライアントコンピュータ等を含む）１００とサーバ（サーバシステムやサーバコンピュータ等を含む）２００を含む。好ましい態様において、クライアント１００は、スマートフォン、タブレット型コンピューター、ＰＤＡ、ラップトップコンピュータ、ＰＣ、インターネットテレビ、および、ネットワーク接続機能あるいは通信機能を有するあらゆるコンピュータ装置である。サーバ２００は、クライアント１００とネットワーク接続を構築し、広告と検索サービスを提供する。ネットワーク１５０は、インターネット、ローカルエリアネットワーク、広域ネットワークおよびワイヤレスネットワークである。
【００１１】
図１は、本発明の好ましい態様による広告システムの構成を示す図である。図２は、図１に示される広告システムの操作工程図である。図１に示されるように、クライアント１００は、テキスト入力ユニット１１０、情動センサー１２０およびクライアント側トランシーバー１４０を含む。
【００１２】
図２に示されるように、ユーザーが検索エンジンサービスにアクセスする時、ユーザーは、テキスト入力ユニット１１０から例えば検索するキーワードを入力し、あるいは検索するキーワード等の入力をテキスト入力ユニット１１０に伝送し、テキスト入力ユニット１１０は、キーワードＳＫを生成し、クライアント側トランシーバー１４０に出力する（工程Ｓ１ｂ）。好ましい態様において、テキスト入力ユニット１１０は、キーボード、マウス、タッチパッドおよびマイクロフォンである。キーワードＳＫはテキストメッセージであるが、これに限定されない。
【００１３】
情動センサー１２０は、ユーザーの情動状態を感知して、情動信号ＳＥを生成し、クライアント側トランシーバー１４０に出力する。好ましい態様において、情動センサー１２０はマイクロフォンで、情動信号ＳＥとして用いられるユーザーの音声の情報を捕捉する（検出し入力として得る）。好ましい態様において、情動センサー１２０はカメラで、情動信号ＳＥとして用いられるユーザーの静止した顔の表情の情報を捕捉する。好ましい態様において、情動センサー１２０はビデオカメラで、情動信号ＳＥとして用いられるユーザーの動的な顔の表情の情報を捕捉する。好ましい態様において、情動センサー１２０はバイオセンサーで、情動信号ＳＥとして用いられるユーザーの生体信号を感知する。好ましい態様において、情動センサー１２０は、ヒューマンマシンインターフェース、例えば、ペンタブレット、マウス、タッチパネルまたはキーボードで、ユーザーが手入力で、彼／彼女の情動状態を入力できるようになっており、それが情動信号ＳＥとして用いられる。
工程Ｓ２において、クライアント側トランシーバー１４０は、ネットワーク１５０により、キーワードＳＫと情動信号ＳＥをサーバ２００に伝送する。
【００１４】
図１を参照すると、サーバ２００は、サーバ側トランシーバ２１０、情動分析器２２０、広告プラットフォーム２３０と検索エンジン２４０を含む。好ましい態様において、情動分析器２２０と検索エンジン２４０は、少なくとも１つのプロセッサによりロードおよび実行されるプログラムコードと命令により実行される。図２に示されるように、サーバ側トランシーバ２１０は、キーワードＳＫと情動信号ＳＥ（工程Ｓ３）を受信し、情動信号ＳＥは情動分析器２２０に入力される。
【００１５】
情動分析器２２０は、情動信号ＳＥに従って、ユーザーの情動特性を確認する。好ましい態様において、情動信号ＳＥは、ユーザーにより入力される音声データ（音声情報）で、情動分析器２２０は、情動信号ＳＥの音色特徴を分析して、ユーザーの情動状態を確認する。好ましい態様において、情動信号ＳＥは、カメラにより捕捉されるユーザーの静止した/動的な顔の表情の情報で、情動分析器２２０は、情動信号ＳＥの表現特性を分析し、ユーザーの情動状態を確認する。好ましい態様において、情動信号ＳＥは、ユーザーの生体信号、例えば、血圧、心拍、体温または生体電流等の情報で、情動分析器２２０は情動信号ＳＥの生物学的特性を分析して、ユーザーの情動状態を確認する。好ましい態様において、情動信号ＳＥは、ヒューマンマシンインターフェースにより、ユーザーにより手動で入力された情報で、情動分析器２２０は、情動信号ＳＥに従って、ユーザーの情動状態を決定する。情動分析器２２０は、情動信号ＳＥを分析し、分析結果に基づいて情動パラメータＰＥを生成する（工程Ｓ４）。情動パラメータＰＥは、ユーザーの情動の分類、たとえば、幸せ、怒り、不調または悲観を表す。
【００１６】
工程Ｓ５において、キーワードＳＫは検索エンジン２４０に入力され、検索エンジン２４０は、情報データベース（図示しない）からのキーワードＳＫに関連する情報を取り込む。情報は、ウェブページ、地理的位置情報またはデータファイルである。その後、検索エンジン２４０は、検索結果ＲＳを生成する（工程Ｓ５ａ）。
【００１７】
情動パラメータＰＥは、広告プラットフォーム２３０に伝送される。広告プラットフォーム２３０は、広告データベース（図示しない）と検索ユニット（図示しない）を含む。広告データベースは複数の広告（広告情報、広告データ）を保存し、各広告は、所定の情動パラメータに従って分類されている。検索ユニットは、広告データベースから、ユーザーの情動パラメータＰＥに基づいて広告の一部を取り込み、少なくとも１つの推薦広告ＲＡとする。従って、その推薦広告ＲＡの所定の情動パラメータは、ユーザーの情動パラメータＰＥに適合するものである（工程Ｓ５ｂ）。たとえば、情動パラメータＰＥが、ユーザーがいらいらしていることを示す時、検索ユニットは、いらいらする顧客に、広告の一部にハーブティの宣伝やヨガクラスの割引等を取り込み、少なくとも１つの推薦広告ＲＡにする。
【００１８】
工程Ｓ６において、サーバ側トランシーバ２１０は、ネットワーク１５０により、その少なくとも１つの推薦広告ＲＡと検索結果ＲＳを、クライアント１００に伝送する。好ましい態様において、クライアント１００は、さらに、ディスプレイユニットおよび／または音声増幅器を含み、その推薦広告ＲＡを表示および／または再生する。
【００１９】
この態様の別の好ましい態様として、情動パラメータＰＥとキーワードＳＫ両方が、広告プラットフォーム２３０に伝送されるようにしてもよい。広告プラットフォーム２３０は、広告データベース（図示しない）と検索ユニット（図示しない）を含む。広告データベースは複数の広告を保存し、各広告は、所定の情動パラメータに従って分類されている。検索ユニットは、広告データベースから、情動パラメータＰＥとキーワードＳＫに基づいて、広告の一部を取り込み、少なくとも１つの推薦広告ＲＡとする。従って、その推薦広告ＲＡの所定の情動パラメータは、ユーザーの情動パラメータＰＥに適合するだけでなく、キーワードＳＫにも関連するものとなる。
【００２０】
図３は、本発明の別の好ましい態様による広告システムの構成を示す図である。図４は、図３に示される広告システムの操作工程図である。図３の広告システムのクライアント１００は、さらに位置決め装置１３０を有し、ユーザーが検索エンジンサービスを要求する時、位置決め装置１３０はクライアント１００の地理的な位置を確認し、位置座標ＳＬを生成する（工程Ｓ１ｃ）。この点を除いて、図３中の広告システムは図１の態様に類似する。好ましい態様において、位置決め装置１３０は、グローバルポジショニングシステム、三辺測量またはクライアント１００の地理的な位置を獲得することができる別の方法により、位置座標ＳＬを生成する。工程Ｓ１ａとＳ１ｂは、図２中の態様と実質上同じで、詳細は省略する。クライアント側トランシーバー１４０は、ネットワーク１５０により、キーワードＳＫ、情動信号ＳＥおよび位置座標ＳＬをサーバ２００に伝送する（工程Ｓ２）。
【００２１】
図３を参照すると、サーバ２００は、サーバ側トランシーバ２１０、情動分析器２２０、広告２３０および検索エンジン２４０を含む。図４を参照すると、サーバ側トランシーバ２１０は、クライアント１００から、キーワードＳＫ、情動信号ＳＥおよび位置座標ＳＬを受信し（工程Ｓ３）、情動信号ＳＥは情動分析器２２０に入力され、情動分析器２２０は、情動信号ＳＥに従ってユーザーの情動特性を確認し、すなわち情動信号ＳＥを分析し、分析結果に基づいて、情動パラメータＰＥを生成する（工程Ｓ４）。
【００２２】
工程Ｓ５において、キーワードＳＫは検索エンジン２４０に入力され、検索エンジン２４０は、さらに、情報データベース（図示しない）から、キーワードＳＫに関連する情報を取り込み、検索結果ＲＳを生成する（工程Ｓ５ａ）。
【００２３】
また、位置座標ＳＬは広告プラットフォーム２３０に入力され、情動分析器２２０で生成された情動パラメータＰＥも広告プラットフォーム２３０に伝送される。広告プラットフォーム２３０は、広告データベース（図示しない）と検索ユニット（図示しない）を含む。広告データベースは複数の広告を保存し、各広告は、所定の情動パラメータに従って分類されているだけでなく、広告位置を示す所定の位置座標を含む。検索ユニットは、広告データベースから、ユーザーの情動パラメータＰＥおよび位置座標ＳＬに基づいて広告の一部を取り込み、少なくとも１つの推薦広告ＲＡとする。従って、その推薦広告ＲＡの所定の情動パラメータは、ユーザーの情動パラメータＰＥに適合し、広告位置がユーザーの地理的な位置に近いことをも示すものである（工程Ｓ５ｂ）。
【００２４】
工程Ｓ６において、サーバ側トランシーバ２１０は、ネットワーク１５０により、少なくとも１つの推薦広告ＲＡと検索結果ＲＳを、クライアント１００に伝送する。たとえば、ユーザーが検索エンジンサービスにアクセスし、彼／彼女の情動状態が怒りであると確認した時、広告プラットフォーム２３０は、怒っている顧客に、少なくとも１つの推薦広告、たとえば、ジムの無料お試し情報や喫茶店のオープンイベント情報を提供する。そのジムと喫茶店は、例えばユーザーから２００メートルのところにあるものである。好ましい態様において、クライアント１００は、さらに、ディスプレイユニットおよび／または音声増幅器を含み、少なくとも１つの推薦広告ＲＡを表示および／または再生する。
【００２５】
図５は、本発明の別の好ましい態様による広告システムの構成を示す図である。図６は、図５に示される広告システムの操作工程図である。図５に示されるように、クライアント１００は、音声入力ユニット１１５、音声識別ユニット１２５とクライアント側トランシーバー１４０を含む。
【００２６】
図６中の工程Ｓ１を参照すると、検索エンジンサービスにアクセスする時、ユーザーは、スピーチを音声入力ユニット１１５に実行して、検索するキーワードを入力し、音声入力ユニット１１５は音声信号ＳＶを生成する。音声信号ＳＶは、さらに、音声識別ユニット１２５により識別され、対応するキーワードＳＫが生成される（工程Ｓ２）。クライアント側トランシーバー１４０は、ネットワーク１５０により、音声信号ＳＶとキーワードＳＫを、サーバ２００に伝送する（工程Ｓ３）。
【００２７】
たとえば、日本食に関する情報を検索したいユーザーは、“日本食”を音声入力ユニット１１５、たとえば、マイクロフォンで入力する。マイクロフォンは、ユーザーの音声を音声信号ＳＶとして保存する。その後、音声信号ＳＶは音声識別ユニット１２５により確認され、キーワードＳＫ、たとえば、文字コード“日本食”に変換される。音声信号ＳＶは、ユーザーの情動情報、例えば、声のトーンも含む。よって、キーワードＳＫと音声信号ＳＶ両方がサーバ２００に提供される。
【００２８】
さらに、図５を参照すると、サーバ２００の情動分析器２２０が、音声信号ＳＶを情動信号ＳＥとみなす以外は、サーバ２００は実質上、図１の具体例と同じである。サーバ側トランシーバ２１０は、クライアント１００から、キーワードＳＫと音声信号ＳＶを受信する（工程Ｓ４）。音声信号ＳＶは情動分析器２２０に入力され、音声信号ＳＶに従って、情動分析器２２０は、ユーザーの情動特性を確認し、すなわち音声信号ＳＶを分析し、分析結果に基づいて情動パラメータＰＥを生成する（工程Ｓ５）。
【００２９】
工程Ｓ６において、キーワードＳＫは検索エンジン２４０に入力され、検索エンジン２４０は、情報データベース（図示しない）から、キーワードＳＫに関する情報を取り込み、検索結果ＲＳを生成する（工程Ｓ６ａ）。
【００３０】
情動分析器２２０で生成された情動パラメータＰＥは、広告プラットフォーム２３０に伝送される。広告プラットフォーム２３０は、広告データベース（図示しない）と検索ユニット（図示しない）を含む。広告データベースは複数の広告を保存し、各広告は、所定の情動パラメータに従って分類されている。検索ユニットは、広告データベースから、ユーザーの情動パラメータＰＥに基づいて広告の一部を取り込み、少なくとも１つの推薦広告ＲＡとする（工程Ｓ６ｂ）。従って、その推薦広告ＲＡの所定の情動パラメータは、ユーザーの情動パラメータＰＥに適合するものである。たとえば、ユーザーが、音声入力により検索を実行し、情動パラメータＰＥが、ユーザーが幸せであることを示す時、検索ユニットは、幸せな顧客に、広告の一部、デパートの周年宣伝や３Ｃ製品の割引情報を取り込み、少なくとも１つの推薦広告ＲＡにする。
【００３１】
工程Ｓ７において、サーバ側トランシーバ２１０は、ネットワーク１５０により、少なくとも１つの推薦広告ＲＡと検索結果ＲＳを、クライアント１００に伝送する。好ましい態様において、クライアント１００は、さらに、ディスプレイユニットおよび／または音声増幅器を含み、少なくとも１つの推薦広告ＲＡを表示および／または再生する。
【００３２】
図７は、本発明の別の好ましい態様による広告システムの構成を示す図である。図８は、図７に示される広告システムの操作工程図である。検索エンジン機能が、サーバ側ではなく、クライアント側で実施される以外は、図７中の広告システムは図１の態様に類似する。図７中の広告システムのクライアント１００は、さらに、検索エンジン１３５を含む。前述した各広告システムと同様の構成と機能の詳細は省略する。
【００３３】
ユーザーがキーワードを入力して、検索機能を実行する時、クライアント１００のテキスト入力ユニット１１０は、キーワードＳＫを生成し（工程Ｓ１’）、検索エンジン１３５は、機能およびデータを含むローカルコンテンツを検索し、検索結果ＲＳを決定する（工程Ｓ２’）。検索エンジン１３５は、クライアント１００のプロセッサにより実行される検索プログラム、たとえば、スマートＴＶの検索機能で、ユーザーがチャネルリスト中の内容を検索し、リストを表示できるようにする。検索エンジン１３５は、さらに、ディスプレイユニット１４５および／または音声増幅器上で、検索結果ＲＳを表示および／または再生する。
【００３４】
情動センサー１２０は、ユーザーの情動状態を検出し、情動信号ＳＥをクライアント側トランシーバー１４０に出力する（工程Ｓ１）。工程Ｓ２において、クライアント側トランシーバー１４０は、ネットワーク１５０により、情動信号ＳＥをサーバ２００に伝送する。
【００３５】
図７を参照すると、サーバ２００は、サーバ側トランシーバ２１０、情動分析器２２０および広告プラットフォーム２３０を含む。ある好ましい態様中、情動分析器２２０は、少なくとも１つのプロセッサによりロードおよび実行されるプログラムである。図８に示されるように、サーバ側トランシーバ２１０は、情動信号ＳＥを受信し（工程Ｓ３）、情動信号ＳＥは情動分析器２２０に入力される。情動分析器２２０は、情動信号ＳＥに従ってユーザーの情動特性を確認し、すなわち情動信号ＳＥを分析し、分析結果に基づいて、情動パラメータＰＥを生成する（工程Ｓ４）。情動パラメータＰＥは、ユーザーの情動の分類、たとえば、幸せ、怒り、不調または悲観を表す。
【００３６】
生成された情動パラメータＰＥは、広告プラットフォーム２３０に伝送される。広告プラットフォーム２３０は、広告データベース（図示しない）および検索ユニット（図示しない）を含む。広告データベースは複数の広告を保存し、各広告は、所定の情動パラメータに従って分類されている。検索ユニットは、広告データベースから、情動パラメータＰＥに基づいて広告の一部を取り込み、少なくとも１つの推薦広告ＲＡとする。従って、その推薦広告ＲＡの所定の情動パラメータは、ユーザーの情動パラメータＰＥに適合するものである（工程Ｓ５）。
【００３７】
工程Ｓ６において、サーバ側トランシーバ２１０は、ネットワーク１５０により、少なくとも１つの推薦広告ＲＡを、クライアント１００に伝送する。クライアント１００は、ディスプレイユニット１４５および／または音声増幅器上で、検索エンジン１３５で決定された検索結果ＲＳとともに、少なくとも１つの推薦広告ＲＡを表示および／または再生する（工程Ｓ７）。
【００３８】
この態様の別の好ましい態様において、クライアント側トランシーバー１４０は、ネットワーク１５０により、キーワードＳＫもサーバ２００に伝送する。サーバ２００において、キーワードＳＫは、情動分析器２２０から伝送される情動パラメータＰＥとともに、広告プラットフォーム２３０に伝送される。広告プラットフォーム２３０は、広告データベースと検索ユニットを含む。広告データベースは複数の広告を保存し、各広告は所定の情動パラメータに従って分類されている。検索ユニットは、広告データベースから、情動パラメータＰＥおよびキーワードＳＫ基づいて、広告の一部を取り込み、少なくとも１つの推薦広告ＲＡとする。その推薦広告ＲＡの所定の情動パラメータは、ユーザーの情動パラメータＰＥに適合するだけでなく、キーワードＳＫにも関連したものとなる。
【００３９】
図９は、本発明の別の好ましい態様による広告システムの構成を示す図である。図１０は、図９に示される広告システムの操作工程図である。図９の態様においては、サーバ側で、音声識別機能を有する携帯機器で、ユーザーの音声入力を確認し、検証結果をクライアントに戻す。クライアントは、検証結果に従って、局所機能やデータ、例えば、やることリスト、メモリカードに保存されるデータまたは電話帳を検索する。
【００４０】
図９を参照すると、クライアント１００は、音声入力ユニット１１５とクライアント側トランシーバー１４０を含む。図１０中の工程Ｓ１に示されるように、ユーザーが検索エンジンサービスにアクセスする時、ユーザーは、スピーチを音声入力ユニット１１５に実行して、検索するキーワードを入力し、音声入力ユニット１１５は音声信号ＳＶを生成する。音声信号ＳＶは音声命令で、語句でもよいし完全な文章でもよく、例えば、“電話帳”または“来年の二月のカレンダー”等の語句である。クライアント側トランシーバー１４０は、ネットワーク１５０により、音声信号ＳＶをサーバ２００に伝送する（工程Ｓ２）。
【００４１】
サーバ２００のサーバ側トランシーバ２１０は、音声信号ＳＶを受信し（工程Ｓ３）、音声信号ＳＶは音声識別ユニット２１５に入力される。音声識別ユニット２１５は音声信号ＳＶを識別し、キーワードＳＫを生成する（工程Ｓ４ａ）。音声信号ＳＶは、情動分析器２２０にも入力される。情動分析器２２０は、音声信号ＳＶに従って、ユーザーの情動特性を確認し、すなわち音声信号ＳＶを分析し、分析結果に基づいて情動パラメータＰＥを生成する（工程Ｓ４ｂ）。
【００４２】
工程Ｓ５において、情動パラメータＰＥは広告プラットフォーム２３０に伝送される。広告プラットフォーム２３０は、広告データベース（図示しない）と検索ユニット（図示しない）を含む。広告データベースは複数の広告を保存し、各広告は、所定の情動パラメータに従って分類されている。検索ユニットは、広告データベースから、情動パラメータＰＥに基づいて広告の一部を取り込み、少なくとも１つの推薦広告ＲＡとする。その推薦広告ＲＡの所定の情動パラメータは、ユーザーの情動パラメータＰＥに適合するものである。
【００４３】
工程Ｓ６を続行して、サーバ側トランシーバ２１０は、ネットワーク１５０により、少なくとも１つの推薦広告ＲＡとキーワードＳＫをクライアント１００に伝送する（工程Ｓ６）。クライアント１００は、キーワードＳＫに従って、機能とデータを検索し、検索結果ＲＳを生成するローカル検索エンジン１３５を含む。好ましい態様において、クライアント１００は、さらに、ディスプレイユニット１４５および／または音声増幅器（図示しない）を有し、検索結果ＲＳと少なくとも１つの推薦広告ＲＡを表示および／または再生する。
【００４４】
上述の態様と具体例に開示される検索エンジンを結合した広告システムは、顧客に、精確、且つ、適切な広告を提供することができる。本発明による広告システムは、広告の費用対効果を向上させ、ベンダーと顧客との結びつきを強化する。さらにカスタマイズ可能なオプションを提供することによりサービス品質を改善する。
【００４５】
本発明では好ましい実施例を前述の通り開示したが、これらは決して本発明に限定するものではなく、当該技術を熟知する者なら誰でも、本発明の精神と領域を脱しない範囲内で各種の改変を加えることができ、従って本発明の保護範囲は、特許請求の範囲で指定した内容を基準とする。
【符号の説明】
【００４６】
１００…クライアント
１１０…テキスト入力ユニット
１１５…音声入力ユニット
１２０…情動センサー
１２５…音声識別ユニット
１３０…位置決め装置
１３５…検索エンジン
１４０…クライアント側トランシーバー
１４５…ディスプレイユニット
１５０…ネットワーク
２００…サーバ
２１０…サーバ側トランシーバ
２１５…音声識別ユニット
２２０…情動分析器
２３０…広告プラットフォーム
２４０…検索エンジン
ＰＥ…情動パラメータ
ＲＡ…推薦広告
ＲＳ…検索結果
Ｓ１-Ｓ７…工程
Ｓ１’、Ｓ２’…工程
Ｓ１ａ-Ｓ１ｃ…工程
Ｓ４ａ、Ｓ４ｂ…工程
Ｓ５ａ、Ｓ５ｂ…工程
Ｓ６ａ、Ｓ６ｂ…工程
ＳＥ…情動信号
ＳＫ…キーワード
ＳＬ…位置座標
ＳＶ…音声信号
【図１】
2013109767.tif 000003
【図２】
2013109767.tif 000004
【図３】
2013109767.tif 000005
【図４】
2013109767.tif 000006
【図５】
2013109767.tif 000007
【図６】
2013109767.tif 000008
【図７】
2013109767.tif 000009
【図８】
2013109767.tif 000010
【図９】
2013109767.tif 000011
【図１０】
2013109767.tif 000012